(57)【要約】【課題】自動投稿ＡＰＩを提供しておらず、携帯端末上の特定のアプリケーションソフトウェアからのみ投稿を許可するＳＮＳサイトに対して自動投稿を行うことを可能にするシステムを提供する。【解決手段】ＰＣ上にインストールされた携帯端末エミュレーションソフトウェア（Ａｎｄｒｏｉｄ、ｉＯＳなどのエミュレータ）を用いれば上記のようなＳＮＳサイトにアクセス可能であり、当該携帯端末エミュレーションソフトウェアに自動投稿の機能を持たせることで、自動投稿の仕組みを構築した。【選択図】図１
2019020773.tif 000002
【特許請求の範囲】
【請求項１】
ＳＮＳサイトを提供するＳＮＳサーバとネットワークを通じて通信可能なＰＣ端末において機能するＳＮＳサイトに対する自動投稿システムであって、
前記ＰＣ端末が、
ＳＮＳサイトへの投稿データ、並びに当該投稿データの投稿スケジュールデータ及び／又は投稿条件データを記憶する投稿データ記憶部と、
ＳＮＳサイトのアドレス情報、及びユーザのＳＮＳサイトにおけるアカウント情報を記憶するユーザデータ記憶部と、
ユーザから、投稿データ、投稿スケジュールデータ及び／又は投稿条件データ、ＳＮＳサイトのアドレス情報、並びにユーザのＳＮＳサイトにおけるアカウント情報の入力を受け付け、前記投稿データ記憶部及び前記ユーザデータ記憶部に記憶させる投稿データ入力処理部と、
ＳＮＳサイトに対してアクセス及び投稿する際に、携帯端末としてエミュレートするエミュレーション処理部と、
前記投稿データ記憶部に記憶された投稿データの投稿スケジュールデータ及び／又は投稿条件データを参照し、当該スケジュール及び／又は投稿条件に従って当該投稿データを投稿するよう前記エミュレーション処理部に指令する投稿スケジュール処理部と、
を有することを特徴とするＳＮＳサイトに対する自動投稿システム。
【請求項２】
ＳＮＳサイトを提供するＳＮＳサーバとネットワークを通じて通信可能なＰＣ端末及び自動投稿サーバにおいて機能するＳＮＳサイトに対する自動投稿システムであって、
前記自動投稿サーバが、
ＳＮＳサイトに対してアクセス及び投稿する際に、携帯端末としてエミュレートするエミュレーション処理部を有し、
前記ＰＣ端末が、
ＳＮＳサイトへの投稿データ、並びに当該投稿データの投稿スケジュールデータ及び／又は投稿条件データを記憶する投稿データ記憶部と、
ＳＮＳサイトのアドレス情報、及びユーザのＳＮＳサイトにおけるアカウント情報を記憶するユーザデータ記憶部と、
ユーザから、投稿データ、投稿スケジュールデータ及び／又は投稿条件データ、ＳＮＳサイトのアドレス情報、並びにユーザのＳＮＳサイトにおけるアカウント情報の入力を受け付け、前記投稿データ記憶部及び前記ユーザデータ記憶部に記憶させる投稿データ入力処理部と、
前記投稿データ記憶部に記憶された投稿データの投稿スケジュールデータ及び／又は投稿条件データを参照し、当該スケジュール及び／又は投稿条件に従って当該投稿データを投稿するよう前記自動投稿サーバのエミュレーション処理部に指令する投稿スケジュール処理部と、
を有することを特徴とするＳＮＳサイトに対する自動投稿システム。
【請求項３】
ＳＮＳサイトを提供するＳＮＳサーバとネットワークを通じて通信可能なＰＣ端末及び自動投稿サーバにおいて機能するＳＮＳサイトに対する自動投稿システムであって、
前記ＰＣ端末が、
ユーザから、投稿データ、投稿スケジュールデータ及び／又は投稿条件データ、ＳＮＳサイトのアドレス情報、並びにユーザのＳＮＳサイトにおけるアカウント情報の入力を受け付け、前記自動投稿サーバに送信する投稿データ入力処理部を有し、
前記自動投稿サーバが、
前記ＰＣ端末から受信されるＳＮＳサイトへの投稿データ、並びに当該投稿データの投稿スケジュールデータ及び／又は投稿条件データを記憶する投稿データ記憶部と、
前記ＰＣ端末から受信されるＳＮＳサイトのアドレス情報、及びユーザのＳＮＳサイトにおけるアカウント情報を記憶するユーザデータ記憶部と、
ＳＮＳサイトに対してアクセス及び投稿する際に、携帯端末としてエミュレートするエミュレーション処理部と、
前記投稿データ記憶部に記憶された投稿データの投稿スケジュールデータ及び／又は投稿条件データを参照し、当該スケジュール及び／又は投稿条件に従って当該投稿データを投稿するよう前記エミュレーション処理部に指令する投稿スケジュール処理部と、
を有することを特徴とするＳＮＳサイトに対する自動投稿システム。
【請求項４】
前記投稿データ記憶部には複数種類の投稿データが記憶されており、これら投稿データの投稿スケジュールデータとして、各投稿データにつき所定の投稿時間、投稿順序及び／又は投稿の繰り返し回数が規定されていることを特徴とする請求項１から３のいずれか１項に記載のＳＮＳサイトに対する自動投稿システム。
【請求項５】
前記投稿データ記憶部には複数種類の投稿データが記憶されており、これら投稿データの投稿スケジュールデータとして、各投稿データにつきランダムの投稿時間、投稿順序及び／又は投稿の繰り返し回数が規定されていることを特徴とする請求項１から３のいずれか１項に記載のＳＮＳサイトに対する自動投稿システム。
【請求項６】
前記投稿データ記憶部には、投稿条件ルールデータとして、システム外部から取得される情報に基づく投稿条件ルールが規定されていることを特徴とする請求項１から３のいずれか１項に記載のＳＮＳサイトに対する自動投稿システム。
【請求項７】
前記投稿スケジュール処理部は、前記投稿データ記憶部に記憶された投稿データの投稿スケジュールデータ及び／又は投稿条件データに関わらず、所定の投稿頻度を超えないように投稿を行うよう制御することを特徴とする請求項１から３のいずれか１項に記載のＳＮＳサイトに対する自動投稿システム。
【発明の詳細な説明】
【技術分野】
【０００１】
本発明は、ＳＮＳ（Social Networking Service；ソーシャルネットワーキングサービス）サイトに対する自動投稿システムに関し、特に、特定種類の端末からのみ投稿を受け付けるＳＮＳに対してその種類以外の端末から自動投稿を行うことを可能にするシステムに関するものである。
【背景技術】
【０００２】
ＳＮＳは、インターネット上のサイトにおいてユーザが投稿するコンテンツ（文章、画像、音声、動画、位置情報など）を通じてユーザ同士の情報交換や交流を可能にするサービスである。情報価値の高いコンテンツを投稿したり、高い頻度で投稿したりするユーザは、他のユーザの興味を引きやすく、情報交換や交流がより充実したものとなる。中には、その投稿が多数のユーザから注目され、他のユーザに対して大きな影響力を持つに至るユーザ（インフルエンサー）も存在する。
【０００３】
一方、ＳＮＳはビジネスにも利用されている。企業や店舗は、潜在的に顧客となり得るユーザに接触し、情報発信する手段として、ＳＮＳサイトに投稿を行っている。例えば、自社の企業情報、商品・サービスの情報、イベントの告知、広告宣伝などの投稿がされている。
【０００４】
ＳＮＳサイトに対する投稿は、ＰＣや携帯端末などを用いて当該ＳＮＳサイトにアクセスし、文章、画像等のコンテンツを入力・アップロードすることで行われる。一日に数回ないし数十回と頻繁に投稿を行うユーザは、毎回この投稿動作を行うことになる。そのような手間を省くために、ＳＮＳサイトに対する自動投稿の仕組みが存在する。
ここで言う、自動投稿の仕組みとしては、
・ユーザが入力・アップロードしたコンテンツが指定の時間に投稿されるもの
・予め用意された所定の複数のコンテンツが定期的に投稿されるもの
・予め用意された所定の複数のコンテンツがランダムに投稿されるもの
・予め用意された所定の複数のコンテンツが所定条件に応じて投稿されるもの
などがある。
【０００５】
現在、日本国内では、下記のようなＳＮＳサイトが広く利用されている。
Ｆａｃｅｂｏｏｋ（https://www.facebook.com/）
Ｉｎｓｔａｇｒａｍ（https://www.instagram.com/）
Ｔｗｉｔｔｅｒ（https://twitter.com）
ｍｉｘｉ（https://mixi.jp/）
【先行技術文献】
【特許文献】
【０００６】
【特許文献１】特開2015-011660号公報
【発明の開示】
【発明が解決しようとする課題】
【０００７】
上記のいくつかのＳＮＳサイトでは、サーバ上に自動投稿のためのＡＰＩが搭載されており、ユーザはその機能を利用して自動投稿を行うことができるようになっている。一方、自動投稿ＡＰＩを提供していないＳＮＳサイトに対しては、ユーザ端末側で自動投稿の仕組みを持つ必要があるが、これはＰＣ上ではアプリケーションソフトウェアとして容易に構築することができる。
【０００８】
ところが、ＳＮＳサイトの中には、自動投稿ＡＰＩを提供しておらず、かつ、携帯端末（スマートフォンなど）上にインストールされた当該ＳＮＳサイトが提供するアプリケーションソフトウェアからのみアクセスや投稿を許可するものが存在する。このようなＳＮＳサイトに対して自動投稿を行う仕組みは現在存在しない。
【０００９】
本発明は、このような実情に鑑みてなされたものであり、自動投稿ＡＰＩを提供しておらず、携帯端末上の特定のアプリケーションソフトウェアからのみ投稿を許可するＳＮＳサイトに対して自動投稿を行うことを可能にするシステムを提供しようとするものである。
【課題を解決するための手段】
【００１０】
上記解決課題に鑑みて鋭意研究の結果、本発明者は、ＰＣ上にインストールされた携帯端末エミュレーションソフトウェア（Ａｎｄｒｏｉｄ、ｉＯＳなどのエミュレータ）を用いれば上記のようなＳＮＳサイトにアクセス可能であり、当該携帯端末エミュレーションソフトウェアに自動投稿の機能を持たせることで、自動投稿の仕組みを構築できることに想到した。
【００１１】
すなわち、本発明は、ＳＮＳサイトを提供するＳＮＳサーバとネットワークを通じて通信可能なＰＣ端末において機能するＳＮＳサイトに対する自動投稿システムであって、前記ＰＣ端末が、ＳＮＳサイトへの投稿データ、並びに当該投稿データの投稿スケジュールデータ及び／又は投稿条件データを記憶する投稿データ記憶部と、ＳＮＳサイトのアドレス情報、及びユーザのＳＮＳサイトにおけるアカウント情報を記憶するユーザデータ記憶部と、ユーザから、投稿データ、投稿スケジュールデータ及び／又は投稿条件データ、ＳＮＳサイトのアドレス情報、並びにユーザのＳＮＳサイトにおけるアカウント情報の入力を受け付け、前記投稿データ記憶部及び前記ユーザデータ記憶部に記憶させる投稿データ入力処理部と、ＳＮＳサイトに対してアクセス及び投稿する際に、携帯端末としてエミュレートするエミュレーション処理部と、前記投稿データ記憶部に記憶された投稿データの投稿スケジュールデータ及び／又は投稿条件データを参照し、当該スケジュール及び／又は投稿条件に従って当該投稿データを投稿するよう前記エミュレーション処理部に指令する投稿スケジュール処理部と、を有することを特徴とするＳＮＳサイトに対する自動投稿システムを提供するものである。
【００１２】
また、本発明は、ＳＮＳサイトを提供するＳＮＳサーバとネットワークを通じて通信可能なＰＣ端末及び自動投稿サーバにおいて機能するＳＮＳサイトに対する自動投稿システムであって、前記自動投稿サーバが、ＳＮＳサイトに対してアクセス及び投稿する際に、携帯端末としてエミュレートするエミュレーション処理部を有し、前記ＰＣ端末が、ＳＮＳサイトへの投稿データ、並びに当該投稿データの投稿スケジュールデータ及び／又は投稿条件データを記憶する投稿データ記憶部と、ＳＮＳサイトのアドレス情報、及びユーザのＳＮＳサイトにおけるアカウント情報を記憶するユーザデータ記憶部と、ユーザから、投稿データ、投稿スケジュールデータ及び／又は投稿条件データ、ＳＮＳサイトのアドレス情報、並びにユーザのＳＮＳサイトにおけるアカウント情報の入力を受け付け、前記投稿データ記憶部及び前記ユーザデータ記憶部に記憶させる投稿データ入力処理部と、前記投稿データ記憶部に記憶された投稿データの投稿スケジュールデータ及び／又は投稿条件データを参照し、当該スケジュール及び／又は投稿条件に従って当該投稿データを投稿するよう前記自動投稿サーバのエミュレーション処理部に指令する投稿スケジュール処理部と、を有することを特徴とするＳＮＳサイトに対する自動投稿システムを提供するものである。
【００１３】
また、本発明は、ＳＮＳサイトを提供するＳＮＳサーバとネットワークを通じて通信可能なＰＣ端末及び自動投稿サーバにおいて機能するＳＮＳサイトに対する自動投稿システムであって、前記ＰＣ端末が、ユーザから、投稿データ、投稿スケジュールデータ及び／又は投稿条件データ、ＳＮＳサイトのアドレス情報、並びにユーザのＳＮＳサイトにおけるアカウント情報の入力を受け付け、前記自動投稿サーバに送信する投稿データ入力処理部を有し、前記自動投稿サーバが、前記ＰＣ端末から受信されるＳＮＳサイトへの投稿データ、並びに当該投稿データの投稿スケジュールデータ及び／又は投稿条件データを記憶する投稿データ記憶部と、前記ＰＣ端末から受信されるＳＮＳサイトのアドレス情報、及びユーザのＳＮＳサイトにおけるアカウント情報を記憶するユーザデータ記憶部と、ＳＮＳサイトに対してアクセス及び投稿する際に、携帯端末としてエミュレートするエミュレーション処理部と、前記投稿データ記憶部に記憶された投稿データの投稿スケジュールデータ及び／又は投稿条件データを参照し、当該スケジュール及び／又は投稿条件に従って当該投稿データを投稿するよう前記エミュレーション処理部に指令する投稿スケジュール処理部と、を有することを特徴とするＳＮＳサイトに対する自動投稿システムを提供するものである。
【００１４】
本発明のＳＮＳサイトに対する自動投稿システムにおいて、前記投稿データ記憶部には複数種類の投稿データが記憶されており、これら投稿データの投稿スケジュールデータとして、各投稿データにつき所定の投稿時間、投稿順序及び／又は投稿の繰り返し回数が規定されていることを特徴とする
【００１５】
本発明のＳＮＳサイトに対する自動投稿システムにおいて、前記投稿データ記憶部には複数種類の投稿データが記憶されており、これら投稿データの投稿スケジュールデータとして、各投稿データにつきランダムの投稿時間、投稿順序及び／又は投稿の繰り返し回数が規定されていることを特徴とする
【００１６】
本発明のＳＮＳサイトに対する自動投稿システムにおいて、前記投稿データ記憶部には、投稿条件ルールデータとして、システム外部から取得される情報に基づく投稿条件ルールが規定されていることを特徴とする
【００１７】
本発明のＳＮＳサイトに対する自動投稿システムにおいて、前記投稿スケジュール処理部は、前記投稿データ記憶部に記憶された投稿データの投稿スケジュールデータ及び／又は投稿条件データに関わらず、所定の投稿頻度を超えないように投稿を行うよう制御することを特徴とする
【発明の効果】
【００１８】
以上、説明したように、本発明のＳＮＳサイトに対する自動投稿システムによれば、自動投稿ＡＰＩを提供しておらず、かつ、携帯端末（スマートフォンなど）上にインストールされた当該ＳＮＳサイトが提供するアプリケーションソフトウェアからのみアクセスや投稿を許可するサイトに対しても、ユーザは自動投稿を行うことが可能となる。
【図面の簡単な説明】
【００１９】
【図１】本発明の一実施形態にかかるＳＮＳサイトに対する自動投稿システムの概要を示す図である。
【図２】図１に示すＳＮＳサイトに対する自動投稿システムにおけるＰＣ端末上に構築される本システムの内部構成を概略的に示す図である。
【図３】本発明のＳＮＳサイトに対する自動投稿システムの他の構成例について概要を示す図である。
【図４】図３に示すＳＮＳサイトに対する自動投稿システムにおけるＰＣ端末上及び自動投稿サーバ上に構築される本システムの内部構成を概略的に示す図である。
【図５】本発明のＳＮＳサイトに対する自動投稿システムのさらに他の構成例について概要を示す図である。
【発明を実施するための最良の形態】
【００２０】
以下、添付図面を参照しながら、本発明のＳＮＳサイトに対する自動投稿システムを実施するための最良の形態を詳細に説明する。図１〜図５は、本発明の実施の形態を例示する図であり、これらの図において、同一の部材名を付したものは同一物を表わし、基本的な構成及び動作は同様であるものとする。
【００２１】
ＳＮＳサイトに対する自動投稿システムの構成
図１は、本発明の一実施形態にかかるＳＮＳサイトに対する自動投稿システムの概要を示す図である。
図１において、本システムは、ＳＮＳサイトを提供するＳＮＳサーバとユーザが利用するＰＣ端末とがネットワークを通じて通信可能となっている環境において、主にＰＣ端末上に構築される。尚、ＳＮＳサーバはＳＮＳサイトの提供者が運営するものであり、本システムの管理者やユーザの管理下にあるものではない。本システムは、このＳＮＳサイトに対して一般ユーザとして利用するためのユーティリティツールを提供しようとするものである。また、ユーザがＳＮＳサイトへのアクセスに利用できる携帯端末を図示しているが、本システムの必須構成要件ではない。
【００２２】
図２は、図１に示すＳＮＳサイトに対する自動投稿システムにおけるＰＣ端末上に構築される本システムの内部構成を概略的に示す図である。
図２において、ＰＣ端末内には、ＳＮＳサイトへの投稿データ（テキスト、画像、動画等のコンテンツデータ）及び投稿スケジュール・投稿条件データを記憶する投稿データ記憶部、ユーザのＳＮＳサイトにおけるアカウント情報などを記憶するユーザデータ記憶部、ユーザからの投稿データ及び投稿スケジュール・投稿条件データの入力を受け付ける投稿データ入力処理部、投稿データを所定のスケジュールに従い投稿できるようスケジュールする投稿スケジュール処理部、ＳＮＳサイトに対して携帯端末としてエミュレートするエミュレーション処理部、ＰＣ端末外部との通信を可能にする通信処理部が備えられている。
これらの記憶部及び処理部は、ＰＣ端末のハードウェア資源とその資源上で動作するソフトウェアとが協働して実現される機構である。
【００２３】
ＳＮＳサイトに対する自動投稿システムの利用形態
まず、ユーザはＰＣ端末を操作して、ＳＮＳサイトのＵＲＬ等の情報、当該ＳＮＳサイトにおける自己のアカウント情報、ＳＮＳサイトへの投稿、当該投稿の投稿スケジュール・投稿条件を入力する。
投稿データ入力処理部は、これらの情報を投稿データ記憶部及びユーザデータ記憶部に記憶する。
【００２４】
投稿スケジュール処理部は、投稿データ記憶部に記憶された投稿スケジュール・投稿条件データを常時監視し、投稿がなされるべき時間又は条件が到来したことに基づいて、対象ＳＮＳサイトのＵＲＬ等情報、当該ユーザのアカウント情報を用いてＳＮＳサイトにアクセス（ログイン等）し、対象となる投稿データを投稿する。この際、エミュレーション処理部が作動し、ＰＣ端末は携帯端末をエミュレートしてＳＮＳサイトにアクセスし投稿を行う。
【００２５】
このようにして、自動投稿ＡＰＩを提供しておらず、かつ、携帯端末（スマートフォンなど）上にインストールされた当該ＳＮＳサイトが提供するアプリケーションソフトウェアからのみアクセスや投稿を許可するサイトに対しても、ユーザはＰＣ端末上に構築された本システムを用いて、自動投稿を行うことが可能となる。
ユーザは、携帯端末を用いてＳＮＳサイトにアクセスすることで、自動投稿が正しく行われているか否かを確認することができる。
【００２６】
ここで言う、自動投稿の仕組みとしては、
・ユーザが予め入力したコンテンツが指定の時間に投稿されるもの
・ユーザが予め入力しておいた複数のコンテンツが所定のスケジュール（時間・順序・繰り返し回数等）に基づき投稿されるもの
・ユーザが予め入力しておいた複数のコンテンツが（時間・順序・繰り返し回数等に関して）ランダムに投稿されるもの
・ユーザが予め入力しておいた複数のコンテンツが所定の複数のコンテンツが所定条件（ユーザ規定でもよいし、例えば気候などの外部要因に依るものでもよい）に応じて投稿されるもの
などを含み得る。
【００２７】
他のシステム構成例（１）
図３は、本発明のＳＮＳサイトに対する自動投稿システムの他の構成例について概要を示す図である。
図３において、本システムは、図１に示した構成に加えて、自動投稿サーバをさらに有している。この自動投稿サーバは、本システムの管理者の管理下にあり、ユーザのＰＣ端末からの利用に供するものである。このように構成された本システムは、ＳＮＳサイトを提供するＳＮＳサーバとユーザが利用するＰＣ端末と自動投稿サーバとがネットワークを通じて通信可能となっている環境において、ＰＣ端末上と自動投稿サーバ上とに分散されて構築される。
【００２８】
図４は、図３に示すＳＮＳサイトに対する自動投稿システムにおけるＰＣ端末上及び自動投稿サーバ上に構築される本システムの内部構成を概略的に示す図である。
図４において、ＰＣ端末内には、ＳＮＳサイトへの投稿データ（テキスト、画像、動画等のコンテンツデータ）及び投稿スケジュール・投稿条件データを記憶する投稿データ記憶部、ユーザのＳＮＳサイトにおけるアカウント情報などを記憶するユーザデータ記憶部、ユーザからの投稿データ及び投稿スケジュール・投稿条件データの入力を受け付ける投稿データ入力処理部、投稿データを所定のスケジュールに従い投稿できるようスケジュールする投稿スケジュール処理部、ＰＣ端末外部との通信を可能にする通信処理部が備えられている。
これらの記憶部及び処理部は、ＰＣ端末のハードウェア資源とその資源上で動作するソフトウェアとが協働して実現される機構である。
【００２９】
図４において、自動投稿サーバには、ＳＮＳサイトへの投稿を行うために必要なデータを一時記憶する一時データ記憶部と、ＳＮＳサイトに対して携帯端末としてエミュレートするエミュレーション処理部、自動投稿サーバ外部との通信を可能にする通信処理部が備えられている。
これらの記憶部及び処理部は、自動投稿サーバのハードウェア資源とその資源上で動作するソフトウェアとが協働して実現される機構である。
【００３０】
このシステム構成において、ユーザは、ＰＣ端末を操作して、ＳＮＳサイトのＵＲＬ等の情報、当該ＳＮＳサイトにおける自己のアカウント情報、ＳＮＳサイトへの投稿、当該投稿の投稿スケジュール・投稿条件を入力する。
投稿データ入力処理部は、これらの情報を投稿データ記憶部及びユーザデータ記憶部に記憶する。
【００３１】
投稿スケジュール処理部は、投稿データ記憶部に記憶された投稿スケジュール・投稿条件データを常時監視し、投稿がなされるべき時間又は条件が到来したことに基づいて、対象となる投稿データ、対象ＳＮＳサイトのＵＲＬ等情報、当該ユーザのアカウント情報を自動投稿サーバに送信する。
自動投稿サーバは、受信したこれらの情報・データに基づいて、投稿データをＳＮＳサイトに投稿する。この際、エミュレーション処理部が作動し、自動投稿サーバは携帯端末をエミュレートしてＳＮＳサイトにアクセスし投稿を行う。
【００３２】
このようにして、自動投稿ＡＰＩを提供しておらず、かつ、携帯端末（スマートフォンなど）上にインストールされた当該ＳＮＳサイトが提供するアプリケーションソフトウェアからのみアクセスや投稿を許可するサイトに対しても、ユーザはＰＣ端末上及び自動投稿サーバ上に構築された本システムを用いて、自動投稿を行うことが可能となる。
ユーザは、携帯端末を用いてＳＮＳサイトにアクセスすることで、自動投稿が正しく行われているか否かを確認することができる。
【００３３】
このように、自動投稿システムのうちシステムリソースの消費が激しいエミュレーション機能を投稿サーバ側に導入することで、ユーザに対してクラウド型のサービスを提供することができ、ＰＣ端末の負担を軽減することが可能となる。
【００３４】
他のシステム構成例（２）
本発明のＳＮＳサイトに対する自動投稿システムのさらに他の構成例について説明する。ここでは、図３に示したのと同様の全体構成を有する自動投稿システムにおいて、ＰＣ端末上及び自動投稿サーバが異なる内部構成を有するものとなっている。
【００３５】
図５は、ＰＣ端末上及び自動投稿サーバ上に構築される本システムの内部構成を概略的に示す図である。
図５において、ＰＣ端末内には、自動投稿サーバを介してＳＮＳサイトへの投稿を行うために必要なデータを一時記憶する一時データ記憶部、ユーザからの投稿データ及び投稿スケジュール・投稿条件データの入力を受け付ける投稿データ入力処理部、ＰＣ端末外部との通信を可能にする通信処理部が備えられている。
これらの記憶部及び処理部は、ＰＣ端末のハードウェア資源とその資源上で動作するソフトウェアとが協働して実現される機構である。
【００３６】
図５において、自動投稿サーバには、ユーザ端末から受信されるＳＮＳサイトへの投稿データ（テキスト、画像、動画等のコンテンツデータ）及び投稿スケジュール・投稿条件データを記憶する投稿データ記憶部、ユーザ端末から受信されるユーザのＳＮＳサイトにおけるアカウント情報などを記憶するユーザデータ記憶部、投稿データを所定のスケジュールに従い投稿できるようスケジュールする投稿スケジュール処理部、ＳＮＳサイトに対して携帯端末としてエミュレートするエミュレーション処理部、自動投稿サーバ外部との通信を可能にする通信処理部が備えられている。
これらの記憶部及び処理部は、自動投稿サーバのハードウェア資源とその資源上で動作するソフトウェアとが協働して実現される機構である。
【００３７】
このシステム構成において、ユーザは、ＰＣ端末を操作して、ＳＮＳサイトのＵＲＬ等の情報、当該ＳＮＳサイトにおける自己のアカウント情報、ＳＮＳサイトへの投稿、当該投稿の投稿スケジュール・投稿条件を入力する。
投稿データ入力処理部は、これらの情報を自動投稿サーバに送信する。
【００３８】
自動投稿サーバは、受信したこれらの情報・データを投稿データ記憶部及びユーザデータ記憶部に記憶する。
投稿スケジュール処理部は、投稿データ記憶部に記憶された投稿スケジュール・投稿条件データを常時監視し、投稿がなされるべき時間又は条件が到来したことに基づいて、対象ＳＮＳサイトのＵＲＬ等情報、当該ユーザのアカウント情報を用いてＳＮＳサイトにアクセス（ログイン等）し、対象となる投稿データを投稿する。この際、エミュレーション処理部が作動し、自動投稿サーバは携帯端末をエミュレートしてＳＮＳサイトにアクセスし投稿を行う。
【００３９】
このようにして、自動投稿ＡＰＩを提供しておらず、かつ、携帯端末（スマートフォンなど）上にインストールされた当該ＳＮＳサイトが提供するアプリケーションソフトウェアからのみアクセスや投稿を許可するサイトに対しても、ユーザはＰＣ端末上及び自動投稿サーバ上に構築された本システムを用いて、自動投稿を行うことが可能となる。
ユーザは、携帯端末を用いてＳＮＳサイトにアクセスすることで、自動投稿が正しく行われているか否かを確認することができる。
【００４０】
このように、自動投稿システムのうちデータ記憶部、投稿スケジュール機能、エミュレーション機能といった主要機能を投稿サーバ側に導入することで、ＰＣ端末には特別な機能を導入する必要がなくなり、例えばＷＥＢブラウザベースのクラウド型のサービスを提供することが可能となり、ユーザの利便性が向上する。
【００４１】
以上、本発明のＳＮＳサイトに対する自動投稿システムについて、具体的な実施の形態を示して説明したが、本発明はこれらに限定されるものではない。当業者であれば、本発明の要旨を逸脱しない範囲内において、上記各実施形態におけるＰＣ端末及び自動投稿サーバ上のソフトウェアの構成及び機能に様々な変更・改良を加えることが可能である。
【産業上の利用可能性】
【００４２】
本発明のＳＮＳサイトに対する自動投稿システムは、図１〜５に示すように、コンピュータのＣＰＵ、メモリ、補助記憶装置、ディスプレイ、入力デバイス等を含むハードウェア資源上に構築されたＯＳ、アプリケーション、データベース、ネットワークシステム等によって実現されるものであり、所定条件に基づくＳＮＳサイトへの自動投稿という情報処理が上記のハードウェア資源を用いて具体的に実現されるものであるから、自然法則を利用した技術的思想に該当するものであり、ソフトウェア産業において利用することができるものである。
【図１】
2019020773.tif 000003
【図２】
2019020773.tif 000004
【図３】
2019020773.tif 000005
【図４】
2019020773.tif 000006
【図５】
2019020773.tif 000007